(57)【要約】【課題】導光板の一側面に配置したときに、配置するスペースを少なくすることが可能な線状光源装置およびフレキシブル基板を提供する。【解決手段】長尺状の配線基板１１１０および配線基板１１１０の長手方向に沿って配列された複数の発光素子を有する線状光源部１１０と、発光素子に電源を供給する配線が絶縁フィルム内に形成された基板本体１４１０を有するフレキシブル基板１４０とを備えた線状光源装置１００であって、配線基板１１１０には、発光素子と導通する配線パターンが搭載面に設けられると共に、配線パターンと接続する電源端子１１１４が搭載面の反対側である背面に設けられ、フレキシブル基板１４０には、配線を絶縁フィルムから露出させた接続パッド１４４３が設けられ、配線基板１１１０の背面側と基板本体１４１０の一面側とを対面させて、電源端子１１１４に、接続パッド１４４３が接続されている。【選択図】図５
2009032479.tif 000002
【特許請求の範囲】
【請求項１】
長尺状の配線基板と、
前記配線基板の長手方向に沿って配列された複数の発光素子と、
前記発光素子に電源を供給する配線が絶縁フィルム内に形成された基板本体を有するフレキシブル基板とを備えた線状光源装置であって、
前記配線基板には、前記発光素子と導通する配線パターンが搭載面に設けられると共に、前記配線パターンと接続する電源端子が前記搭載面の反対側である背面に設けられ、
前記フレキシブル基板には、前記配線を絶縁フィルムから露出させた接続パッドが設けられ、
前記配線基板の背面側と前記基板本体の一面側とを対面させて、前記電源端子に、前記接続パッドが接続されていることを特徴とする線状光源装置。
【請求項２】
前記配線基板は、断面コ字状に形成された保持枠に保持され、
前記保持枠には、前記電源端子を露出させる開口部が設けられ、
前記フレキシブル基板には、前記基板本体に接続し、前記接続パッドが先端部に設けられた帯状部が設けられ、
前記帯状部は、前記開口部を通過して前記配線基板の電源端子に接続されていることを特徴とする請求項１記載の線状光源装置。
【請求項３】
前記帯状部は、前記基板本体から基部を残して帯状に切り離して形成されていることを特徴とする請求項２記載の線状光源装置。
【請求項４】
配線が絶縁フィルム内に形成された基板本体を有するフレキシブル基板において、
前記基板本体から基部を残して帯状に切り離され、配線を絶縁フィルムから露出させた接続パッドが先端部に位置した帯状部が設けられていることを特徴とするフレキシブル基板。
【発明の詳細な説明】
【技術分野】
【０００１】
本発明は、配線パターンが形成された長尺状の基板と、この基板に導通搭載された発光素子とを有する線状光源装置および発光素子に電源を供給するフレキシブル基板に関する。
【背景技術】
【０００２】
液晶表示パネルを背面から照射するバックライトの光源として、導光板の一側面に配置される線状光源装置が知られている。例えば、特許文献１に記載の線状光源装置は、長尺状の配線基板に、複数の発光素子が、配線基板の長手方向に沿って配列され、発光素子と導通する電源端子が、基板の両端部にそれぞれ設けられている。
【０００３】
ところで、特許文献１に記載の線状光源装置では、電源端子が配線基板の両端部の発光素子が搭載されている搭載面側に設けられているが、その電源端子と電源とを接続するためには、電源端子が配線基板の背面側に設けられている方が、配線が容易である。
【０００４】
特に、図８に示すような配線基板に発光素子を搭載した複数の線状光源部５１０が、断面コ字状に形成された保持枠５２０に、直線状に配列された従来の線状光源装置５００であれば、細長い従来のフレキシブル基板５３０による個々の電源ピン５１１への接続を、配線基板５１２の背面側で行っているので、発光素子からの光を阻害することなく配線することができる。また、配線基板５１２の配列に沿って直線状に配線しているので、個々の電源ピン５１１へタコ足状にそれぞれ枝分かれしたフレキシブル基板を接続するよりも、配線のための占有スペースを少なくすることができる。
【特許文献１】特開２００４−２３５１３９号公報
【発明の開示】
【発明が解決しようとする課題】
【０００５】
しかし、図８に示す従来の線状光源装置５００を、図９に示す導光板５４０の側面に配置してバックライトを構成するときには、配線基板５１２の背面に電源ピン５１１が突出しているので、配線基板５１２の背面側のスペースを広く確保する必要がある。この電源ピン５１１は、従来のフレキシブル基板５３０から発光素子へ電源を供給するためのものであるので、バックライトを収納するケースが金属製であれば電源ピンと金属ケースとで短絡を回避するためには、更に広く設置スペースを確保する必要がある。
【０００６】
また、図１０のように他の従来のフレキシブル基板５６０の端面を、背面側に電源端子が設けられた配線基板５７０の背面に突き当てるようにして、半田付けする方法では、他の従来のフレキシブル基板５６０がたこ足状ではないが、基板の背面側に、他の従来のフレキシブル基板５６０の幅ほどのスペースを確保する必要がある。
【０００７】
そこで本発明は、導光板の一側面に配置したときに、配置するスペースを少なくすることが可能な線状光源装置およびフレキシブル基板を提供することを目的とする。
【課題を解決するための手段】
【０００８】
本発明の線状光源装置は、長尺状の配線基板と、前記配線基板の長手方向に沿って配列された複数の発光素子と、前記発光素子に電源を供給する配線が絶縁フィルム内に形成された基板本体を有するフレキシブル基板とを備えた線状光源装置であって、前記配線基板には、前記発光素子と導通する配線パターンが搭載面に設けられると共に、前記配線パターンと接続する電源端子が前記搭載面の反対側である背面に設けられ、前記フレキシブル基板には、前記配線を絶縁フィルムから露出させた接続パッドが設けられ、前記配線基板の背面側と前記基板本体の一面側とを対面させて、前記電源端子に、前記接続パッドが接続されていることを特徴とする。
【０００９】
また、本発明のフレキシブル基板は、配線が絶縁フィルム内に形成された基板本体を有するフレキシブル基板において、前記基板本体から基部を残して帯状に切り離され、配線を絶縁フィルムから露出させた接続パッドが先端部に位置した帯状部が設けられていることを特徴とする。
【発明の効果】
【００１０】
本発明の線状光源装置は、配線基板の背面側に、フレキシブル基板の幅ほどの配線基板のスペースを確保したり、フレキシブル配線基板に接続ピンを設けたりする必要がないので、線状光源装置の背面側にスペースを確保する必要がない。よって、導光板の一側面に配置したときに、配置するスペースを少なくすることができる。
【発明を実施するための最良の形態】
【００１１】
本願の第１の発明は、長尺状の配線基板と、配線基板の長手方向に沿って配列された複数の発光素子と、発光素子に電源を供給する配線が絶縁フィルム内に形成された基板本体を有するフレキシブル基板とを備えた線状光源装置であって、配線基板には、発光素子と導通する配線パターンが搭載面に設けられると共に、配線パターンと接続する電源端子が搭載面の反対側である背面に設けられ、フレキシブル基板には、配線を絶縁フィルムから露出させた接続パッドが設けられ、配線基板の背面側と基板本体の一面側とを対面させて、電源端子に、接続パッドが接続されていることを特徴としたものである。
【００１２】
フレキシブル基板には、電源端子へ電源を供給する配線を絶縁フィルムから露出させた接続パッドが形成されている。そして、このフレキシブル基板の基板本体の一面と、配線基板の背面とを対面させて、配線基板の電源端子に、フレキシブル基板の接続パッドを接続させることで、配線基板の背面側にフレキシブル基板の幅ほどのスペースを確保したり、フレキシブル配線基板に接続ピンを設けたりする必要がない。従って、本発明の線状光源装置の背面側に広いスペースを確保する必要がない。
【００１３】
本願の第２の発明は、配線基板は、断面コ字状に形成された保持枠に保持され、保持枠には、電源端子を露出させる開口部が設けられ、フレキシブル基板には、基板本体に接続し、接続パッドが先端部に設けられた帯状部が設けられ、帯状部は、開口部を通過して配線基板の電源端子に接続されていることを特徴としたものである。
【００１４】
帯状部の接続バッドが、保持枠の開口を通過して配線基板の電源端子と接続するので、配線基板を保持する保持枠を設けたとしても、背面側のスペースを広く確保することなく、フレキシブル基板を配線基板に接続することができる。
【００１５】
本願の第３の発明は、帯状部は、基板本体から基部を残して帯状に切り離して形成されていることを特徴したものである。
【００１６】
帯状部が、基板本体から基部を残して帯状に切り離して形成されていることで、１枚のフレキシブル基板から容易に作製することができる。
【００１７】
本願の第４の発明は、配線が絶縁フィルム内に形成された基板本体を有するフレキシブル基板において、基板本体から基部を残して帯状に切り離され、配線を絶縁フィルムから露出させた接続パッドが先端部に位置した帯状部が設けられていることを特徴としたものである。
【００１８】
本発明のフレキシブル基板は、基板本体から基部を残して帯状に切り離され、先端部に配線を絶縁フィルムから露出させた接続パッドが位置した帯状部が設けられていることで、背面側に電源端子が設けられている配線基板に確実に接続させることができる。従って、線状光源装置を導光板の一側面に配置したときに、配置するスペースを少なくすることができる。
【００１９】
（実施の形態）
本発明の実施の形態に係る線状光源装置の構成を、図１から図６に基づいて説明する。図１は線状光源装置をフレキシブル基板側から見た分解斜視図である。図２は、図１に示す線状光源装置の要部拡大図である。図３は、線状光源部を示す断面図である。図４は、図１に示すＡ部拡大図であり、（Ａ）は斜視図、（Ｂ）は分解斜視図である。図５は、図１に示すＢ部拡大図であり、（Ａ）は斜視図、（Ｂ）は分解斜視図である。図６は、図１に示すＣ部拡大図であり、（Ａ）は斜視図、（Ｂ）は分解斜視図である。
【００２０】
図１に示すように、線状光源装置１００は、導光板の一側面に線状光を照射する光源であり、カーナビゲーション装置や車搭載テレビに用いられる９インチ（２２８．６ｍｍ）用の液晶表示パネルのバックライトの光源に使用されるものである。線状光源装置１００は、複数の線状光源部１１０と、複数の線状光源部１１０を収納する保持枠１２０と、線状光源部１１０と保持枠１２０との間に配置された伝熱シート１３０と、線状光源部１１０に電源を供給するフレキシブル基板１４０とを備えている。
【００２１】
図２および図３に示すように、線状光源部１１０は、長尺状の配線基板１１１０に複数の発光素子１１２０が搭載され、発光素子１１２０からの光を反射する反射部１１３０が、発光素子１１２０の両側に配置されている。そして、発光素子１１２０を封止する樹脂封止部１１４０が形成されている。
【００２２】
配線基板１１１０には、それぞれの発光素子１１２０が搭載されている搭載面Ｓ１に、発光素子１１２０がダイボンドされる配線パターン１１１１と、ワイヤボンドされる配線パターン１１１２が形成されている。この配線パターン１１１１，１１１２に、スルーホール電極１１１３を介して電源を供給する電源端子１１１４が搭載面Ｓ１とは反対側である背面Ｓ２に設けられている。
【００２３】
発光素子１１２０は、例えば、ＧａＮ系化合物半導体を利用した青色発光のものが使用できる。本実施の形態では、発光素子１１２０を１個ごとに反射部１１３０を設けているが、２個以上ごとに反射部１１３０を設けるようにしてもよい。
【００２４】
反射部１１３０は、ＰＰＡ（Ｐｏｌｙｐｈｔｈａｌａｍｉｄｅ）樹脂で形成され、発光素子１１２０から長手方向へ出射された光を、線状光源部１１０の主光出射方向Ｆへ反射するように傾斜面１１３１が形成されている。
【００２５】
樹脂封止部１１４０は、配線基板１１１０を底面とし、両側に位置する反射部１１３０を壁面とした凹部にエポキシ系樹脂が充填されて発光素子１１２０を封止している。この樹脂封止部１１４０には、蛍光体（図示せず）が含有されている。蛍光体は、発光素子１１２０からの光を波長変換して補色となる色を発光するものである。本実施の形態では、発光素子１１２０として青色に発光するものを採用しているので、蛍光体としては黄色に波長変換するものを採用している。従って、樹脂封止部１１４０の表面は、発光素子１１２０からの青色と波長変換された黄色とが混色して白色となる。
【００２６】
図１から図２、および図４から図６に示すように、保持枠１２０は、断面コ字状に形成され、複数の線状光源部１１０をそれぞれ収納して導光板２００の側面に沿って直線状に配列するもので、ステンレスやアルミニウムで形成することができる。保持枠１２０の内側面全体には、銀メッキや白色塗料により形成した反射層１２０１が設けられている。保持枠１２０には、線状光源部１１０の電源端子１１１４を覗かせる開口１２０２が設けられている。この開口１２０２は、保持枠１２０の両端部では、略コ字状に形成され、それ以外では略矩形状に形成されている。
【００２７】
図１に示すように伝熱シート１３０は、保持枠１２０に線状光源部１１０を収納するときに、その間に配置される細長いシート状部材である。伝熱シート１３０としては、熱伝導性シリコンシート、グラファイトシート、熱伝導ゲルシートなどを使用することができるが、グラファイトシートが６００〜８００Ｗ／（ｍ・Ｋ）と、銅の２倍、アルミの３倍の高い熱伝導率を有しているので望ましい。本実施の形態では、伝熱シート１３０として、グラファイトシートを基材としてその表裏両面に微粘着性を有する弾性層であるシリコーンゴム層が形成されたものを採用している。
【００２８】
図１に示すように、フレキシブル基板１４０は、外部から供給される電源とそれぞれの線状光源部１１０とを接続する基板である。フレキシブル基板１４０は、配線が絶縁フィルムであるベースフィルムとカバーフィルムとで挟むようにして形成されている。フレキシブル基板１４０は、保持枠１２０の外側面に沿って配置される基板本体１４１０と、電源コネクタ（図示せず）と接続するために配線１４０１が露出した接続部１４２０と、この接続部１４２０と基板本体１４１０とを接続するために、接続部１４２０に向かって徐々に拡幅に形成された配線部１４３０とが設けられている。
【００２９】
図４から図６に示すように、基板本体１４１０には、線状光源部１１０に設けられた電源端子１１１４に導通接続するための帯状部１４４０が形成されている。帯状部１４４０は、基板本体１４１０から基部１４４１を残して帯状に切り離すことで形成されている。この帯状部１４４０の先端部１４４２には、配線１４０１を露出させた接続パッド１４４３が形成されている。接続パッド１４４３は、略半円状の切欠部１４４４が形成されていることで、略コ字状に形成されている。保持枠１２０の端部に位置する帯状部１４４０は、先端部１４４２が外側を向くように形成され、それ以外では互いが向き合うように形成されている。帯状部１４４０は、保持枠１２０の開口１２０２を通過して、配線基板１１１０の電源端子１１１４に半田付けされている。
【００３０】
次に、本発明の実施の形態に係る線状光源装置が、導光板の一側面に配置されている状態を、更に図７を参照しながら説明する。図７は、図１に示す線状光源装置を用いた面発光装置を示す断面図である。
【００３１】
図４から図７に示すように、線状光源装置１００と導光板２００とを備えた面発光装置３００は、線状光源装置１００が導光板２００の側面Ｓ３に主光出射方向Ｆを向けて、金属製の下側ケース３０１上に配置されている。この導光板２００には、下面に反射シート２０１が、上面に拡散シート、第１プリズムシートおよび第２プリズムシートなどの調光シート２０２が配置されている。調光シート２０２上には、液晶表示パネル２２０が配置されている。線状光源装置１００は、導光板２００の側面Ｓ３の高さに位置を合わせる台部３０２に搭載されている。そして、液晶表示パネル２２０と樹脂ホルダ３０３とを押さえるように上側ケース３０４によって収納されている。
【００３２】
このようにフレキシブル基板１４０の基板本体１４１０の一面と、配線基板１１１０の背面と対面させて、配線基板１１１０の電源端子１１１４に、フレキシブル基板１４０の接続パッド１４４３が接続することで、配線基板１１１０の背面側にフレキシブル基板１４０の幅ほどのスペースを確保したり、フレキシブル基板１４０に接続ピンを設けたりする必要がない。従って、線状光源装置１００の背面側にスペースを確保する必要がないので、導光板２００の側面Ｓ３に配置したときに、配置するスペースを少なくすることができる。
【００３３】
また、帯状部１４４０の接続パッド１４４３が、保持枠１２０の開口１２０２を通過して配線基板１１１０の電源端子１１１４と接続するので、配線基板１１１０を保持する保持枠１２０を設けたとしても、背面側のスペースを広く確保しなくても、フレキシブル基板１４０を配線基板１１１０に接続することができる。
【００３４】
また、帯状部１４４０を、基板本体１４１０から基部１４４１を残して帯状に切り離して形成することで、１枚のフレキシブル基板から容易に作製することができる。
【産業上の利用可能性】
【００３５】
本発明は、導光板の一側面に配置したときに、配置するスペースを少なくすることが可能なので、配線パターンが形成された長尺状の基板と、この基板に導通搭載された発光素子とを有する線状光源装置および発光素子に電源を供給するフレキシブル基板に好適である。
【図面の簡単な説明】
【００３６】
【図１】線状光源装置をフレキシブル基板側から見た分解斜視図
【図２】図１に示す線状光源装置の要部拡大図
【図３】線状光源部を示す断面図
【図４】図１に示すＡ部拡大図であり、（Ａ）は斜視図、（Ｂ）は分解斜視図
【図５】図１に示すＢ部拡大図であり、（Ａ）は斜視図、（Ｂ）は分解斜視図
【図６】図１に示すＣ部拡大図であり、（Ａ）は斜視図、（Ｂ）は分解斜視図
【図７】図１に示す線状光源装置を用いた面発光装置を示す断面図
【図８】従来の線状光源装置を示す分解斜視図
【図９】従来の線状光源装置を導光板の一側面に配置した状態を示す断面図
【図１０】他の従来の線状光源装置を示す図
【符号の説明】
【００３７】
１００  線状光源装置
１１０  線状光源部
１２０  保持枠
１３０  伝熱シート
１４０  フレキシブル基板
２００  導光板
２０１  反射シート
２０２  調光シート
３００  面発光装置
３０１  下側ケース
３０２  台部
３０３  樹脂ホルダ
３０４  上側ケース
５００  従来の線状光源装置
５１０  線状光源部
５１１  電源ピン
５１２  配線基板
５２０  保持枠
５３０  従来のフレキシブル基板
５４０  導光板
５６０  他の従来のフレキシブル基板
５７０  配線基板
１１１０  配線基板
１１１１，１１１２  配線パターン
１１１３  スルーホール電極
１１１４  電源端子
１１２０  発光素子
１１３０  反射部
１１３１  傾斜面
１１４０  樹脂封止部
１２０１  反射層
１２０２  開口
１４０１  配線
１４１０  基板本体
１４２０  接続部
１４３０  配線部
１４４０  帯状部
１４４１  基部
１４４２  先端部
１４４３  接続パッド
１４４４  切欠部
Ｓ１  搭載面
Ｓ２  背面
Ｓ３  側面
【図１】
2009032479.tif 000003
【図２】
2009032479.tif 000004
【図３】
2009032479.tif 000005
【図４】
2009032479.tif 000006
【図５】
2009032479.tif 000007
【図６】
2009032479.tif 000008
【図７】
2009032479.tif 000009
【図８】
2009032479.tif 000010
【図９】
2009032479.tif 000011
【図１０】
2009032479.tif 000012